(57)【要約】【課題】ガードポールの衝撃を吸収するためのコイルばねの可動域を十分に確保することができるガードポール固定装置を提供する。【解決手段】ガードポール固定装置６は、ガードポール１のベースプレート３が挿通される床Ｆから突設したアンカーボルト５と、アンカーボルト５に螺合するばね押さえ８と、ばね押さえ８とガードポール１のベースプレート３の間に設けられるコイルばね９とによって構成されている。ばね押さえ８は、コイルばね９の上端部１５と当接し、コイルばね９をベースプレート３側に付勢する頭部１１と、筒形状であり内周面に螺刻された雌ねじ部がアンカーボルト５と螺合するとともに外周面側にコイルばね９が配設される胴部１０とを備えている。【選択図】  図３
0003160830.tif 000002
【実用新案登録請求の範囲】
【請求項１】
床に突設したアンカーボルトをガードポールの貫通孔に挿通して、前記ガードポールを床に固定するガードポール固定装置において、
前記ガードポールから突出する前記アンカーボルトに対して螺合するばね押さえと、
前記アンカーボルトに外嵌されるとともに、前記ばね押さえと前記ガードポールの間に設けられるコイルばねと、を備え、
前記ばね押さえは、
前記コイルばねの一方の端部が当接するとともに、前記コイルばねを前記ガードポール側に付勢する頭部と、
内周面に前記アンカーボルトと螺合するねじが螺刻されるとともに、外周面側に前記コイルばねが配設される筒形状の胴部を備えることを特徴とするガードポール固定装置。
【請求項２】
前記頭部と前記胴部は互いに別体であり、
前記頭部には、前記胴部と係合する係合部が設けられ、
前記胴部には、前記頭部と係合する被係合部が設けられることを特徴とする請求項１記載のガードポール固定装置。
【考案の詳細な説明】
【技術分野】
【０００１】
本考案は、ガードポール固定装置に係り、特にアンカーボルトを使用して床にガードポールを固定するガードポール固定装置に関する。
【背景技術】
【０００２】
トラックやフォークリフトなどの車両が走行する物流センターや工場、倉庫においては、その施設内に設置された棚や工作機械の近傍にガードポールを設置して、それら設備に対する車両の接触を防止している。
ガードポールの固定方法としては、床にガードポールの一部を埋没する方法や、図５に示すように、床Ｆに突設したアンカーボルト５とガードポール１に一体に構成したベースプレート３とを使用してガードポール１を床Ｆに固定する方法などがある。図５では、ガードポール１のベースプレート３に設けられた貫通孔４に床面より突出するアンカーボルト５を挿通し、そのアンカーボルト５にナット３１を螺合することでベースプレート３を床Ｆに対して固定している。
【０００３】
しかし、図５の構成では、ガードポール１が受けた衝撃は、ベースプレート３を介してナット３１に直接伝わってしまうので、ナット３１及びアンカーボルト５が破損しやすいという問題点がある。
【０００４】
これに対して、特許文献１には、図６に示すように、鉄骨構築物の皿ばね柱脚構造３２が記載されている。具体的には、柱３３の下端にベースプレート３４を固着し、コンクリート基礎３５の基礎面から突出するアンカーボルト３６をベースプレート３４のボルト挿入孔に挿通してベースプレート３４の上面に突出させ、その突出したアンカーボルト３６に皿ばね３７を嵌合するとともにアンカーボルト３６に螺合したナット３８で皿ばね３７を締結することにより、柱３３をコンクリート基礎３５に接合している。この場合、柱３３が受けた衝撃は、皿ばね３７が縮むことによって吸収されるので、ナット３８及びアンカーボルト３６は破損し難くなる。
【先行技術文献】
【特許文献】
【０００５】
【特許文献１】特開２００２−２１１８５号公報
【考案の概要】
【考案が解決しようとする課題】
【０００６】
しかしながら、図５の構成によって固定されていたガードポール１に対して図６に示す特許文献１の構成を適用しようとする場合には、既設アンカーボルト５のベースプレート３上面から突出する長さ（図５のＬ）が短いため、ばねを取付けるスペースを確保できない、または、ばねを取付けることができたとしてもばねの可動域を十分に確保できないなどの問題が生じてしまう。
【０００７】
また、特許文献１においては、皿ばね３７を使用している。皿ばね３７の可動域を大きくする場合には、皿ばね３７の外径寸法が必然的に大きくなる。そして、皿ばね３７の外径寸法が大きくなってしまうと、設置のためのスペースが多く必要となる。したがって、既に設置されているガードポール１に対して特許文献１の構成を適用しようとする場合には、皿ばね３７が柱３３など他の部材と干渉して取付けることができない可能性がある。
【０００８】
本考案は、上記課題に鑑みてなされたもので、ガードポールの衝撃を吸収するためのコイルばねの可動域を十分に確保することができるガードポール固定装置を提供する。
【課題を解決するための手段】
【０００９】
上記課題を解決するため、本考案は、床に突設したアンカーボルトをガードポールの貫通孔に挿通して、前記ガードポールを床に固定するガードポール固定装置において、前記ガードポールから突出する前記アンカーボルトに対して螺合するばね押さえと、前記アンカーボルトに外嵌されるとともに、前記ばね押さえと前記ガードポールの間に設けられるコイルばねと、を備え、前記ばね押さえは、前記コイルばねの一方の端部が当接するとともに、前記コイルばねを前記ガードポール側に付勢する頭部と、内周面に前記アンカーボルトと螺合するねじが螺刻されるとともに、外周面側に前記コイルばねが配設される筒形状の胴部を備えることを特徴とする。
【００１０】
この考案によれば、筒形状の胴部とコイルばねを付勢させる頭部とから構成されたばね押さえを設け、その胴部がアンカーボルトと螺合する構成としたので、アンカーボルトが短い場合であっても、胴部の長さ分はコイルばねの可動域を確保することができる。
ここで、コイルばねの可動域とは、伸びた状態のコイルばねがガードポールの受けた衝撃を吸収するために縮むことができる量、すなわち、縮み代を意味する。
【００１１】
また、本考案において、前記頭部と前記胴部は互いに別体であり、前記頭部には、前記胴部と係合する係合部が設けられ、前記胴部には、前記頭部と係合する被係合部が設けられることを特徴とする。
【００１２】
この場合、胴部と頭部は別体で構成されるので、アンカーボルトに胴部を取付け、コイルばねを外挿した後に頭部を取付けることができるので、ばね押さえのアンカーボルトへの固定を容易にし、ガードポールの設置を容易にすることができる。
【考案の効果】
【００１３】
本考案によれば、ガードポールの衝撃を吸収するためのコイルばねの可動域を十分に確保することができる。
【図面の簡単な説明】
【００１４】
【図１】本考案の第１の実施形態に係るガードポールの構成を示す正面図である。
【図２】（Ａ）は本考案の第１の実施形態に係るガードポール固定装置の構成を示す正面図であり、（Ｂ）は本考案の第１の実施形態に係るガードポール固定装置において、ガードポールが衝撃を受けた場合を示す正面図である。
【図３】本考案の第１の実施形態に係るガードポール固定装置の構成を分解して示す正面図である。
【図４】本考案のその他の実施形態に係るガードポール固定装置の構成を分解して示す正面図である。
【図５】従来の技術を示す正面図である。
【図６】別の従来の技術を示す縦断面図である。
【考案を実施するための形態】
【００１５】
（第１の実施形態）
以下、第１の実施形態におけるガードポール固定装置について図１〜３を用いて説明する。
なお、以下の説明において、「上」「下」は、図１〜４における「上」「下」基準として示すものとする。
まず、ガードポールについて図１を用いて説明する。
ガードポール１は、例えば、施設に設置される設備を保護するために、設備近傍に設置される。ガードポール１は、鉄製であり、円柱状のガードポール本体部２と、ガードポール本体部２の下面に固定される円盤形状のベースプレート３とから構成されている。ベースプレート３の中央にはガードポール本体部２が溶接などによって一体に構成され、ベースプレート３におけるガードポール本体部２より径方向外側には、アンカーボルト５を挿通するための貫通孔４が等間隔に複数設けられている。
ガードポール１は、図２、３に示すようにアンカーボルト５を使用するガードポール固定装置６によって床Ｆに固定される。
【００１６】
次に、ガードポール固定装置６について図２、３を用いて説明する。
ガードポール固定装置６は、図２に示すように、アンカーボルト５と、アンカーボルト５に螺合するばね押さえ８と、ばね押さえ８とガードポール１のベースプレート３との間に設けられるコイルばね９とから構成されている。
アンカーボルト５は、ベースプレート３の貫通孔４の位置に合わせてコンクリートの床Ｆから突出するように床Ｆに一部埋没して設置（床Ｆに突設）するもので、アンカーボルト５の突出した部分には、雄ねじ部７が螺刻されている。
ばね押さえ８は、筒形状の胴部１０と、胴部１０の上側に設けられる略半球形状の頭部１１とから構成されている。胴部１０は、下方に対して開口しており胴部１０の内周面には、アンカーボルト５の雄ねじ部７と螺合するためのねじとしての雌ねじ部１２が螺刻されている。
頭部１１は、上側に六角レンチ（図示せず）を係合するために上方に開口した六角穴１３が設けられ、胴部１０に接続される下側には、胴部１０の外径よりも大きな外径を有し、コイルばね９と当接するためのばね押圧面１４が設けられている。
【００１７】
コイルばね９は、アンカーボルト５及びばね押さえ８の胴部１０に対して外嵌され、コイルばね９の一方の端部としての上端部１５は、頭部１１のばね押圧面１４と当接し、下端部１６は、ベースプレート３の上面と当接している。すなわち、図２に示すように、コイルばね９は、胴部１０の外周面側に配設される。
なお、コイルばね９の内径は、胴部１０の外径よりも大きく設定され、コイルばね９の外径は、ばね押圧面１４の外径よりも小さく設定されている。そして、コイルばね９の外径は、ベースプレート３の貫通孔４の内径よりも大きく設定されている。
コイルばね９は、頭部１１によって下方に押圧されることによって、コイルばね９をベースプレート３側に付勢し、ベースプレート３を床Ｆに固定している。
ガードポール１が衝撃を受け、ベースプレート３が浮き上がった場合には、コイルばね９が縮むことによってばね押さえ８に伝わる衝撃を吸収する。そして、ばね押さえ８及びアンカーボルト５を破損し難くしている。
そして、ばね押さえ８のアンカーボルト５へのねじ込み量、つまり、ばね押さえ８がねじ込まれることによって変化する頭部１１のばね押圧面１４の下面からベースプレート３上面までの距離を変化させることによって、コイルばね９の可動域とコイルばね９をベースプレート３側に付勢させる力（付勢力）の調節をすることができる。
ここで、コイルばね９の可動域とは、図２（Ａ）のように、ガードポール１を固定した状態におけるコイルばね９の状態から、ガードポール１が衝撃を受けベースプレート３が浮き上がった場合に、図２（Ｂ）のようにコイルばね９が縮むことが可能な領域、つまり縮み代を意味する。このコイルばね９の可動域によって、ガードポール１が衝撃を受けた場合にベースプレート３が上方に移動できる（浮き上がることができる）距離Ｈ（図２（Ｂ））が決まる。すなわち、ガードポール１が車両と接触したときにガードポール１が衝撃を吸収することができる許容量となる。
なお、このコイルばね９の可動域とベースプレート３への付勢力は、接触する可能性のある車両の種類や想定される速度など、ガードポール１を設置する状況を勘案して適宜設定し、調節すれば良い。
なお、ベースプレート３とコイルばね９の下端部１６との間に、コイルばね９の付勢力をベースプレート３に対して均等に作用させるためのワッシャを設けても良い。
【００１８】
次に、ガードポール固定装置６の設置の作業について説明する。
はじめに、ガードポール１を新たに設置する場合について説明する。
まず、ガードポール１を設置する位置においてベースプレート３の貫通孔４に合わせてアンカーボルト５を設置し、床Ｆからアンカーボルト５の雄ねじ部７を突出させる。次に、設置したアンカーボルト５にベースプレート３の貫通孔４が挿通するようにガードポール１を配置して、ベースプレート３の貫通孔４にアンカーボルト５を挿通し、ベースプレート３の上方にアンカーボルト５の雄ねじ部７を突出させる。
そして、突出した雄ねじ部７にコイルばね９を外挿する。次に、ばね押さえ８の胴部１０の外周面側にコイルばね９が配設されるようして、胴部１０の雌ねじ部１２をアンカーボルト５の雄ねじ部７に螺合させて、ばね押さえ８をアンカーボルト５に取付ける。その後、六角レンチを頭部１１の六角穴１３に対して装着し、六角レンチを使用してばね押さえ８をアンカーボルト５に対して更にねじ込み、ばね押圧面１４をコイルばね９の上端部１５と当接させ、上端部１５によってコイルばね９をベースプレート３側に付勢する。
そして、コイルばね９を所望の可動域となるようにばね押さえ８のアンカーボルト５へのねじ込み量を調節して、ベースプレート３を床Ｆに固定する。
このようにして、ガードポール固定装置６によってガードポール１が床Ｆに固定される。
【００１９】
次に、ガードポール１を図５に示した構成によって固定され、既に設置されたガードポール１に対して適用する場合について説明する。
まず、アンカーボルト５に螺合しているナット３１を、スパナなどの工具を用いて取り外す。そして、ナット３１が取り外されたアンカーボルト５にコイルばね９を外挿する。
次に、ばね押さえ８の胴部１０の雌ねじ部１２をアンカーボルト５の雄ねじ部７に対して螺合させて取付ける。そして、六角レンチを頭部１１の六角穴１３に装着し、六角レンチによってばね押さえ８をアンカーボルト５に対して更にねじ込み、ばね押圧面１４をコイルばね９の上端部１５と当接させ、コイルばね９をベースプレート３側に付勢させる。
そして、コイルばね９を所望の可動域となるようにばね押さえ８のアンカーボルト５へのねじ込み量を調節して、ベースプレート３を床Ｆに固定する。
このようにして、既に設置されたガードポール１はガードポール固定装置６によって固定される。
このように、本考案におけるガードポール固定装置６は、新設のガードポール１及び既に設置されたガードポール１のどちらにも対応が可能である。
【００２０】
上記実施形態によれば、以下のような効果を有する。
（１）ばね押さえ８は筒形状の胴部１０とばね押圧面１４を有する頭部１１とを備え、胴部１０がアンカーボルト５と螺合する構成とした。これにより、頭部１１のばね押圧面１４からベースプレート３までの距離が長くなり、ガードポール１の衝撃を吸収するためのコイルばね９の可動域を十分に確保することができる。
特に、既に設置されたガードポール１において、アンカーボルト５がベースプレート３の上面から突出している長さ（図５のＬ）が短い場合であっても、胴部１０の長さ分はコイルばね９の可動域を確保することができる。
（２）ばねをコイルばね９とし、ばね押さえ８によってコイルばね９の可動域を確保する構成とした。これにより、コイルばね９の可動域を確保してもばね押さえ８の外径が大きくなることはないため、既に設置したガードポール１に適用しても干渉することなくガードポール固定装置６によって固定することができる。
（３）頭部１１の形状を略半球状とした。これにより、ガードポール固定装置６がベースプレート３の上面から突出した状態となっていても邪魔になり難い。
【００２１】
（その他の実施形態）
以下、その他の実施形態におけるガードポール固定装置について図４を用いて説明する。
図４に示すその他の実施形態のガードポール固定装置１７は、第１の実施形態におけるばね押さえ８の形状を一部変更したもので、第１の実施形態と同一の構成については、同一の符号を付し、詳細な説明を省略する。
ばね押さえ１８は、図４に示すように、胴部１９と頭部２０とを互いに別体として構成している。胴部１９は、下方に対して開口しており胴部１９の内周面には、アンカーボルト５の雄ねじ部７と螺合するための雌ねじ部２４が螺刻されている。
また、頭部２０の下部には、胴部１９の外径よりも大きな外径を有しコイルばね９の一方の端部としての上端部１５と当接するためのばね押圧面２３が設けられるとともに、胴部１９と係合する係合部２１が下方に突出して設けられる。そして、胴部１９の上側には、頭部２０の係合部２１と係合するための被係合部２２が設けられている。
コイルばね９は、頭部２０のばね押圧面２３によって下方に押圧されることによって、ベースプレート３側に付勢し、ベースプレート３を床Ｆに固定している。
【００２２】
次に、ガードポール固定装置１７の設置の作業について説明する。
ガードポール固定装置１７を図５に示した構成によって固定され、既に設置されたガードポール１に対して適用する場合について説明する。
まず、アンカーボルト５に螺合しているナット３１を、スパナなどの工具を用いて取り外す。そして、ナット３１が取り外されたアンカーボルト５に対して、胴部１９を螺合して取付ける。このときに、胴部１９のアンカーボルト５に対するねじ込み量を調節することによって、ベースプレート３が床Ｆに固定された際にコイルばね９が所望の可動域となるように調節する。そして、コイルばね９をアンカーボルト５及び胴部１９に対して外挿する。
次に、胴部１９の上に頭部２０を置き、ハンマーなどを用いて頭部２０を胴部１９に対して打ち込むことによって、係合部２１と被係合部２２を係合させ、胴部１９と頭部２０とを固定する。
頭部２０が胴部１９に固定されることにより、頭部２０のばね押圧面２３は、コイルばね９はベースプレート３側に付勢する状態となり、ベースプレート３を床Ｆに固定する。
このようにして、既に設置されたガードポール１はガードポール固定装置１７によって固定される。
また、その他の実施形態においても第１の実施形態と同様に新設のガードポール１に対してもガードポール固定装置１７を適用することができる。
【００２３】
上記第１の実施形態によれば第１の実施形態と同様の効果の他に以下のような効果を有する。
（４）ばね押さえ１８の胴部１９と頭部２０とを互いに別体として構成した。これにより、ガードポール固定装置１７を設置する際に、ばね押さえ１８をコイルばね９の弾性力（付勢力の反力）に逆らってねじ込む作業がなくなり、胴部１９をアンカーボルト５にねじ込んで取付け、コイルばね９を外挿した後に頭部２０を胴部１９の上に置いてハンマーで打ち込めばよいので、ガードポール１の設置の作業を容易にすることができる。
【００２４】
本考案は、上記第１の実施形態及びその他の実施形態に限定されるものではなく、以下のように変更しても良い。
その他の実施形態では、胴部１９と頭部２０の固定を係合部２１と被係合部２２による係合とし、係合するための作業はハンマーなどによって打ち込むことによって行う構成としたが、胴部１９と頭部２０を固定できれば良く、係合部２１、被係合部２２の構成は特に限定されないし、係合をするための作業も特に限定されない。
また、上記第１の実施形態、その他の実施形態において、既に設置されたガードポール１のベースプレート３における貫通孔４の内径がばね押さえ８、１８の胴部１０、１９の外径よりも小さく、ガードポール１が衝撃を受けベースプレート３が浮き上がった場合に、胴部１０、１９とベースプレート３が干渉するおそれがある場合には、貫通孔４の内径を大きくして胴部１０、１９と干渉しないように加工をしても良い。
第１の実施形態において、頭部１１の上部には六角レンチを装着するための六角穴１３を備えたが、ばね押さえ８の螺合作業をするための工具を装着できればよく、十字穴などであっても良い。
【符号の説明】
【００２５】
１  ガードポール
４  貫通孔
５  アンカーボルト
６、１７  ガードポール固定装置
７  雄ねじ部
８、１８  ばね押さえ
９  コイルばね
１０、１９  胴部
１１、２０  頭部
１５  上端部（一方の端部）
２１  係合部
２２  被係合部
【図１】
0003160830.tif 000003
【図２】
0003160830.tif 000004
【図３】
0003160830.tif 000005
【図４】
0003160830.tif 000006
【図５】
0003160830.tif 000007
【図６】
0003160830.tif 000008